【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
遊技盤面上に少なくとも大入賞口と、始動口と、複数の普通入賞口とを有し、該始動口への入球に起因して乱数を抽出し該抽出された乱数に基づき当否判定を行う判定手段と、該当否判定の結果を報知する図柄表示手段と、該図柄表示手段に当りであることが報知されたことに起因して開放した役物内の特定領域を遊技球が通過することを条件に前記大入賞口を連続開放する役物連続作動手段と、を備えた弾球遊技機において、
前記複数の普通入賞口の内少なくとも１の普通入賞口を、前記図柄表示手段に当りであることが報知されたことに起因して前記役物を開放させるための作動口とする作動口決定手段と、
前記図柄表示手段に当りであることが報知された後、前記作動口決定手段により前記作動口とされた前記普通入賞口が前記作動口であることを報知する作動口報知手段と、
該作動口報知手段により報知された前記普通入賞口に遊技球が入球（入賞）すると前記役物を開放させる役物開放開始手段と、
前記図柄表示手段に当りであることが報知された後、前記作動口報知手段により前記普通入賞口が前記作動口であることを報知するまでの間に、当該普通入賞口に入球しても前記役物の開放を禁止する禁止手段と、
該禁止手段による禁止が解除された後、前記作動口である普通入賞口に遊技球が入球したことに起因して前記普通入賞口の前記作動口としての機能を終了させる作動終了手段と、
を備えたことを特徴とする弾球遊技機。
【請求項２】
請求項１に記載の弾球遊技機において、
前記禁止手段による禁止が解除された後、前記作動口である普通入賞口に遊技球が入球しなくとも所定時間が経過すると前記普通入賞口の前記作動口としての機能を終了させ、
前記普通入賞口の賞球数を１〜５個とし、複数の前記普通入賞口を狙って遊技球を発射した場合のベースを５０〜９９％とした、
ことを特徴とする弾球遊技機。
【手続補正２】
【補正対象書類名】明細書
【補正対象項目名】０００７
【補正方法】変更
【補正の内容】
【０００７】
上記課題に鑑みてなされた請求項１に記載の弾球遊技機は、
遊技盤面上に少なくとも大入賞口と、始動口と、複数の普通入賞口とを有し、該始動口への入球に起因して乱数を抽出し該抽出された乱数に基づき当否判定を行う判定手段と、該当否判定の結果を報知する図柄表示手段と、該図柄表示手段に当りであることが報知されたことに起因して開放した役物内の特定領域を遊技球が通過することを条件に前記大入賞口を連続開放する役物連続作動手段と、を備えた弾球遊技機において、
前記複数の普通入賞口の内少なくとも１の普通入賞口を、前記図柄表示手段に当りであることが報知されたことに起因して前記役物を開放させるための作動口とする作動口決定手段と、
前記図柄表示手段に当りであることが報知された後、前記作動口決定手段により前記作動口とされた前記普通入賞口が前記作動口であることを報知する作動口報知手段と、
該作動口報知手段により報知された前記普通入賞口に遊技球が入球（入賞）すると前記役物を開放させる役物開放開始手段と、
前記図柄表示手段に当りであることが報知された後、前記作動口報知手段により前記普通入賞口が前記作動口であることを報知するまでの間に、当該普通入賞口に入球しても前記役物の開放を禁止する禁止手段と、
該禁止手段による禁止が解除された後、前記作動口である普通入賞口に遊技球が入球したことに起因して前記普通入賞口の前記作動口としての機能を終了させる作動終了手段と、を備えたことを特徴とする。
【手続補正３】
【補正対象書類名】明細書
【補正対象項目名】０００８
【補正方法】変更
【補正の内容】
【０００８】
請求項１に記載の発明では、役物内の特定領域（特別入球口２１２）に遊技球が入球すれば条件装置が作動し、その後、自動的に役物連続作動装置が作動するが、当りを示す図柄が確定表示されても直ちに役物は開放しなく、普通入賞口に入賞させる必要がある。これにより、当り図柄が確定表示した後、特定領域に遊技球を通過させるために開放させる必要のある役物の開放タイミングを遊技者が任意に選択できる。始動口に遊技球をひたすら入賞させ当り図柄を表示させる遊技から一転し、当りである役物の開放時間内に遊技球を入賞させ特定領域に入球させる遊技に変化するときに、遊技者に準備する余裕又は挑戦する心構えをさせることが可能となる効果を有する。遊技内容が変化したことを認識させる効果も発揮する。
なお、特定領域を有する役物は、連続開放させる大入賞口を兼用しても良く、別体であっても良い。
【手続補正４】
【補正対象書類名】明細書
【補正対象項目名】０００９
【補正方法】変更
【補正の内容】
【０００９】
ここで、普通入賞口を狙って遊技球を発射しても、入球しないよう釘間隔が調整（設定）されていれば、開放した役物内の特定領域に遊技球を通過させることはできなく、遊技者は不利益を被る。
このため、普通入賞口に遊技球が入球しないような釘調整（設定）はできなく、役物が作動しなくとも普通入賞口により賞球を得る可能性が高まる（ベースが高まる）効果を有する。
一方、当該普通入賞口への入球が容易であれば、図柄表示手段により当りであることが報知された直後に、遊技者が意図しないのに流下中の遊技球が偶然に当該普通入賞口に入球することが発生する可能性が考えられる。このような場合、次の課題が考えられる。
意図しなく特定領域を有する役物が開いたとき、遊技者に持ち球がなく、開放した役物に遊技球を入球させることができない課題、この結果、開放した役物が閉鎖し特定領域に遊技球を通過させることができなく役物連続作動手段を作動させることができない課題、図柄表示手段により当りであることが報知されたのを確認し役物を開放させるまでの間に、トイレに行く、タバコを吸う等の休憩を取ることができない課題、が考えられる。
ここで、本願発明では、図柄表示手段に当りであることが報知された後、作動口報知手段により普通入賞口が作動口であることを報知するまでの間に、当該普通入賞口に入球しても役物の開放を禁止手段により禁止する。
これにより、前記課題が好適に解決することができる。
【手続補正５】
【補正対象書類名】明細書
【補正対象項目名】００１０
【補正方法】変更
【補正の内容】
【００１０】
請求項２に記載の弾球遊技機は、
請求項１に記載の弾球遊技機において、前記禁止手段による禁止が解除された後、前記作動口である普通入賞口に遊技球が入球しなくとも所定時間が経過すると前記普通入賞口の前記作動口としての機能を終了させ、前記普通入賞口の賞球数を１〜５個とし、複数の前記普通入賞口を狙って遊技球を発射した場合のベースを５０〜９９％とした、ことを特徴とする。
ところで、賞球数設定手段による賞球数は、少ない程、当該普通入賞口への入球が容易になるよう釘間隔を調整することが可能なので、前記作動口となる普通入賞口の賞球数を１としても良い。
賞球数が１なので、作動口としての普通入賞口を狙って遊技球を発射しても、例え発射した球が全て入球しても、遊技者の持ち球数が増加することはない。
請求項２に記載の弾球遊技機では、作動口としての普通入賞口に極めて容易に入球させることができ、作動報知手段により普通入賞口が作動口であることを報知した後に、遊技者は直ちに役物を開放させることが可能となり、無駄球、無駄時間を極めて少なくすることができる。
ここで、作動口である普通入賞口を狙って遊技球を発射した場合、賞球数の発射球数に対する比率（ベース）を５０％以上１００％未満となるよう釘間隔を設定しても良い。
通常の弾球遊技機は、１分間に１００個以下の遊技球を発射する性能を有する。
１秒間に発射する球数を平均１．６個とすれば、賞球数が５個、ベースが５０％となるよう設定した場合の当該普通入賞口に入球するまでの時間Ｔは、概略、５／１．６×Ｔ＝０．５  より  Ｔ＝６．２５（秒）、この間の発射球数は、１０個（５個が賞球）である。
従って、概略平均して、持ち球の損失が５個で、６．２５秒で役物を開放させることができる。